(57)【要約】【課題】遠隔操作式排水栓装置の取り付け作業の作業性を向上させ、レリースワイヤの損傷や挫屈を防止し、保持機構部の排水流入による保持機構部の故障、誤作動を防止する。【解決手段】レリースワイヤが施工前と施工後に排水口からの飛び出し長さが変更可能な遠隔操作式排水線装置において、操作部の引き上げナット及び保持機構部のねじ部の上下をそれぞれ通水可能に解放し、且つ引き上げナット及び保持機構部のねじ部の形状を、ねじ山同士の間隔をねじ山の幅の少なくとも２倍以上の幅とし、螺合時に生じるねじ山間の隙間を、スイッチケーシング内に進入した排水を排出するための通水隙間としたことを特徴とする遠隔操作式排水栓装置。【選択図】　図２
2004124578.tif 000002
【特許請求の範囲】
【請求項１】
排水口（１）を有した槽体と、
前記排水口（１）を開閉する弁体（２）と、
筒形状のスイッチケーシング（３）、
スイッチケーシング（３）の軸方向に対して位置決め可能であって、且つ回転可能な状態にスイッチケーシング（３）内に収納される、略円筒状にしてねじ部を有する引き上げナット（４）、
下端に後述するレリースワイヤ（５）を接続し、該引き上げナット（４）のねじ部と螺合するねじ部を備えた、レリースワイヤ（５）のインナーワイヤ（５ａ）の進退を保持する保持機構部（６）、
から成り、施工時に引き上げナット（４）と保持機構部（６）の該ねじ部を螺合させることで保持機構部（６）を上昇させ、レリースワイヤ（５）を保持機構部（６）側の端部方向に引き上げ可能な、上記弁体（２）の開閉を遠隔操作する操作部（Ｓ）と、
前記操作部（Ｓ）と前記弁体（２）とに接続され、前記操作部（Ｓ）に加えられた動作を前記弁体（２）に伝達する、円筒形状にして側面方向に可撓撓性を有するアウターチューブ（５ｂ）、該アウターチューブ（５ｂ）内を進退自在に摺動する、側面方向に可撓撓性を有し軸方向に剛性を備えたインナーワイヤ（５ａ）、から成るレリースワイヤ（５）と、
前記排水口（１）に連通され、且つ排水用の開口とレリースワイヤ（５）を挿通する接続口（７ａ）を有する排水栓受け部材と、
内部が中空の管体であって、内部にレリースワイヤ（５）を配置し、且つ前記操作部（Ｓ）と排水栓受け部材の接続口（７ａ）とをそれぞれ水密的に接続するチューブ管（８）と、
から構成される遠隔操作式排水栓装置において、
引き上げナット（４）及び保持機構部（６）のねじ部の上下をそれぞれ通水可能に解放し、
且つ引き上げナット（４）及び保持機構部（６）のねじ部の形状を、ねじ山同士の間隔を少なくともねじ山の幅以上の幅とし、
螺合時に生じるねじ山間の隙間を、スイッチケーシング（３）内に進入した排水を排出するための通水隙間（１１）としたことを特徴とする遠隔操作式排水栓装置。
【請求項２】
前記通水隙間（１１）を、少なくともねじ山の幅の２倍以上の幅としたことを特徴とする請求項１に記載の遠隔操作式排水栓装置。
【請求項３】
前記操作部（Ｓ）において、
保持機構部（６）に、スイッチケーシング（３）に対して回転することを防止する位置決め部（６ｂ）を形成すると共に、保持機構部（６）がスイッチケーシング（３）から抜脱することを防止する抜け防止爪（６ｃ）を設け、
スイッチケーシング（３）内には、位置決め部（６ｂ）によって抜け防止爪（６ｃ）が配置される位置に対応する箇所にのみ爪受け部（３ｃ）を設け、それ以外の箇所に通水用の通路（１２）を設けたことを特徴とする請求項１又は請求項２に記載の遠隔操作式排水栓装置。
【請求項４】
前記引き上げナット（４）と保持機構部（６）のねじ部のねじ山を、それぞれの部材に複数設けたことを特徴とする請求項１乃至請求項３のいずれか一つに記載の遠隔操作式排水栓装置。
【請求項５】
前記保持機構部（６）の上方には係合部（６ｄ）を備えるとともに、前記引き上げナット（４）には螺合が完了に至った時点で前記係合部（６ｄ）と係合する被係合部（４ｂ）を備えたことを特徴とする請求項１乃至請求項４のいずれか一つに記載の遠隔操作式排水栓装置。
【請求項６】
前記スイッチケーシング（３）の上端開口の円筒内周よりも小径な外周面を有する筒状体（１３）、該筒状体（１３）の一方の開口に設けた、前記引き上げナット（４）と嵌合する嵌合部（１３ａ）、から成る、スイッチケーシング（３）の内部で引き上げナット（４）を回動させることで引き上げナット（４）を引き上げる引き上げ用治具（Ｚ）において、
引き上げ用治具（Ｚ）の他方の端部の外周面を、遠隔操作式排水栓装置の排水口（１）の内周面よりも小径とすると共に、該他方の端部に、概略中空の球体を四半分とした形状であって、筒状体の軸方向と、該軸方向の垂直となる方向とを内面において滑らかに連通する、レリースワイヤ（５）のガイド部（１３ｂ）を設けたことを特徴とする請求項１乃至請求項５のいずれか１つに記載の遠隔操作式排水栓装置の引き上げ用治具。
【発明の詳細な説明】
【０００１】
【発明の属する技術分野】
本発明は、洗面器、浴槽などの槽体の排水口の開閉を遠隔操作する、遠隔操作式排水栓装置に関するものである。
【０００２】
【従来の技術】
従来よく知られた、浴槽等に取り付けられる遠隔操作式排水栓装置としては、例えば図１に示した浴槽において、図８に示した操作部を採用したものがある（例えば、特許文献１参照）。以下に図８に示した操作部を用いた遠隔操作式排水栓装置の従来例を、図面を参照にしつつ説明する。
図８に図示した操作部を採用した従来例の遠隔操作式排水栓装置は、以下に記載した排水栓、弁体、レリースワイヤ、操作部、排水栓受け部材としてのエルボ部材、チューブ管、より構成されてなる。
排水栓は、内部に排水口を形成する略円筒形状であって、その外側面にねじを備えて成る。
弁体は、上記排水口を閉口する部材である。
レリースワイヤは、可撓性を備えた中空のアウターチューブと、該アウターチューブの内面を軸方向に摺動するインナーワイヤと、から成る。
操作部は、以下に記載するスイッチケーシングと、操作ボタンと、スラストロック機構を内蔵した保持機構部と、から成る。
スイッチケーシングは、円筒形状にして内面に凸設された段形状の載置部を備えて成り、更にその内部には、上方から順に後記する操作ボタン、保持機構部、を収納してなる。
操作ボタンは、使用者がこれを手で押しこむことによって、その駆動をレリースワイヤへ伝達するための部品であり、下部は保持機構部の動作軸に取り付け固定されてなる。
保持機構部は、その内部に、公知であるノック式ボールペンなどのロック機構等に用いられるスラストロック機構を備え、その外側面上方に、スイッチケーシングの載置部に係止される鍔部を備えるとともに、その中心に、前記操作ボタンの押しこみ操作毎に前進（降下）して固定／固定を解除しレリースワイヤのインナーワイヤに付勢されて後退（上昇）、を繰り返す動作軸を備えてなる。
エルボ部材は、排水栓のねじと螺合するねじを設け、排水栓の排水口と連通する開口を備えて成る。また、排水口から流れ込む排水を下水側に排出するための排水用の開口、及びレリースワイヤを相通する接続口を備えて成る。
チューブ管は、筒状にして軸方向には剛性を、また側面方向には可撓性を備えた中空の部材であって、一方の端部は前記操作部のスイッチケーシング下端外周面に、他端はエルボ部材の接続口にそれぞれ水密的に接続され、内部にはレリースワイヤが挿通されてなる。
【０００３】
上記のように構成した遠隔操作式排水栓装置を図１に図示した浴槽に取り付ける場合、まず、浴槽等に設けた排水栓取付用の開口の周縁を介して排水栓とエルボ部材を螺合させ、浴槽の開口に排水栓を取り付ける。
次に、浴槽上縁部に設けられた取付孔に、操作部のスイッチケーシングを取り付け固定し、更にスイッチケーシングの下端と前記エルボ部材の挿通口とを、前記チューブ管を介して水密的に接続する。
更にレリースワイヤを、スラストロック機構に連動するようにして保持機構部に接続し、保持機構部の鍔部がスイッチケーシングの載置部上に係止するまで挿入すると、レリースワイヤはチューブ管、接続口を介し、エルボ部材内に挿通される。更に浴槽の上方側から、エルボ部材内に配置しているレリースワイヤの先端を、排水口を通してペンチなどで浴槽側へ引き上げる。
この状態より、排水口より引き上げたレリースワイヤの端部を弁体に連結させて、レリースワイヤの排水口側端部を弁体の直下となるように配置することで遠隔操作式排水栓装置の取り付けが完了する。
【０００４】
この従来例の遠隔操作式排水栓装置を使用する場合、まず操作部の操作ボタンに操作を加えて弁体が排水口を閉口した状態、即ちレリースワイヤのインナーワイヤが操作部側に後退した状態とする。この状態より操作ボタンに操作を加えて、インナーワイヤを排水口側に前進させると、インナーワイヤ先端が上昇して直上にある弁体を押上げ、排水口を開口する。この開口状態は操作部に備えた保持機構部のスラストロック機構によって維持される。この状態より操作ボタンに操作を加えてスラストロック機構の維持状態を解除すると、インナーワイヤが操作部側に後退するため、レリースワイヤによって押し上げられていた弁体も降下して排水口を閉口する。以後この操作を繰り返すことで排水口の開閉を自在に操作することができる。
【０００５】
【特許文献１】
実公平７−３８４２０号公報（本文第２頁段落番号００１１、第１図）
【０００６】
【発明が解決しようとする課題】
上記したような遠隔操作式排水栓装置においては、以下の作用を得る為に操作部とエルボ部材との間にチューブ管を介して接続されている。このため、
１．前記操作部のスイッチケーシング内に侵入した排水をチューブ管を通して直接エルボ部材から下水側へ排水することができ、浴槽下に垂れ流しにならず浴槽下が汚れることが無い。
２．上記の遠隔操作式排水栓装置の施工の際や、メンテナンスの際に、チューブ管がレリースワイヤの案内通路となるので、円滑にレリースワイヤをエルボ部材側まで案内でき、狭い浴槽下などにもぐりこむことなく作業することが出来る。これは特に浴槽一式の施工が終了し、防水パンや浴槽の裏側から作業を行うことが出来ないメンテナンス時に効果的である。
【０００７】
ところで、このレリースワイヤの、スイッチケーシング、チューブ管、エルボ部材の長さによって決定される、遠隔操作式排水栓装置の施工に最低限必要となるレリースワイヤの長さ（以後、単に「必要長さ」と記載）に対して、実際に施工に使用されるレリースワイヤが短かすぎると、当然操作部からエルボ部材側までの間をレリースワイヤで接続することが不可能である。しかしながら、レリースワイヤが長すぎると余分な長さのレリースワイヤがチューブ管内で捻れたり、無理な曲がり方をしてレリースワイヤを破損させてしまう、といった問題がある。このような理由から、通常遠隔操作式排水栓装置のレリースワイヤは、必要長さ以上の余分な長さ分（以下、単に「あそび長さ」と記載）がほとんど生じないように寸法調整を行っている。
【０００８】
一方で上記のような遠隔操作式排水栓装置においては、レリースワイヤを弁体に接続する際に、浴槽上方の排水口から浴槽内に一旦レリースワイヤを引き上げて、レリースワイヤの排水口側端部を弁体に接続する必要があり、この場合にはあそび長さが長い方がレリースワイヤの浴槽内への飛び出し長さも長くなり、施工が容易となる。
しかし、前記段落０００７に記載したように、実際にはレリースワイヤにはあそび長さがほとんどないため、排水口から引き出すことが出来るレリースワイヤの長さもごくわずかであり、この接続作業の作業者は浴槽の中に身を乗り出して浴槽の底とレリースワイヤの飛び出しのわずかな隙間で作業を行わなければならず、大変施工作業が不便であった。また、この困難さから、作業者がレリースワイヤを無理に引っ張り出そうとして過大な引っ張り力を加えてしまうことがあり、レリースワイヤの損傷の一因となっていた。
【０００９】
更なる問題として、前記したスイッチケーシングの内面と保持機構部の側面との間には隙間がほとんどないため、スイッチケーシング内に排水が流入した場合に、保持機構部に内蔵しているスラストロック機構内部を通過してエルボ部材側へと排水していた。このため、内部の動作軸などの動作を行う部分に排水が流入して排水中の汚濁物質が付着し、故障や誤作動の原因となっていた。
【００１０】
本発明は上記のような問題を解決するために発明されたものであって、
ア．遠隔操作式排水栓装置の取り付け作業の作業性を向上させ、レリースワイヤの損傷や挫屈を防止する。
イ．保持機構部の排水流入による保持機構部の故障、誤作動防止、を目的とする。
【００１１】
【問題を解決するための手段】
本発明の遠隔操作式排水栓装置は、排水口（１）を有した槽体と、前記排水口（１）を開閉する弁体（２）と、筒形状のスイッチケーシング（３）、スイッチケーシング（３）の軸方向に対して位置決め可能であって、且つ回転可能な状態にスイッチケーシング（３）内に収納される、略円筒状にしてねじ部を有する引き上げナット（４）、下端に後述するレリースワイヤ（５）を接続し、該引き上げナット（４）のねじ部と螺合するねじ部を備えた、レリースワイヤ（５）のインナーワイヤ（５ａ）の進退を保持する保持機構部（６）、から成り、施工時に引き上げナット（４）と保持機構部（６）の該ねじ部を螺合させることで保持機構部（６）を上昇させ、レリースワイヤ（５）を保持機構部（６）側の端部方向に引き上げ可能な、上記弁体（２）の開閉を遠隔操作する操作部（Ｓ）と、前記操作部（Ｓ）と前記弁体（２）とに接続され、前記操作部（Ｓ）に加えられた動作を前記弁体（２）に伝達する、円筒形状にして側面方向に可撓性を有するアウターチューブ（５ｂ）、該アウターチューブ（５ａ）内を進退自在に摺動する、側面方向に可撓撓性を有し軸方向に剛性を備えたインナーワイヤ（５ａ）、から成るレリースワイヤ（５）と、前記排水口（１）に連通され、且つ排水用の開口とレリースワイヤ（５）を挿通する接続口（７ａ）を有する排水栓受け部材と、内部が中空の管体であって、内部にレリースワイヤ（５）を配置し、且つ前記操作部（Ｓ）と排水栓受け部材の接続口（７ａ）とをそれぞれ水密的に接続するチューブ管（８）と、から構成される遠隔操作式排水栓装置において、引き上げナット（４）及び保持機構部（６）のねじ部の上下をそれぞれ通水可能に解放し、且つ引き上げナット（４）及び保持機構部（６）のねじ部の形状を、ねじ山同士の間隔を少なくともねじ山の幅以上の幅とし、螺合時に生じるねじ山間の隙間を、スイッチケーシング（３）内に進入した排水を排出するための通水隙間（１１）としたことを特徴とする遠隔操作式排水栓装置である。
【００１２】
請求項２に記載の遠隔操作式排水栓装置は、前記通水隙間（１１）を、少なくともねじ山の幅の２倍以上の幅としたことを特徴とする前記段落００１１に記載の遠隔操作式排水栓装置である。
【００１３】
請求項３に記載の遠隔操作式排水栓装置は、前記操作部（Ｓ）において、保持機構部（６）に、スイッチケーシング（３）に対して回転することを防止する位置決め部（６ｂ）を形成すると共に、保持機構部（６）がスイッチケーシング（３）から抜脱することを防止する抜け防止爪（６ｃ）を設け、スイッチケーシング（３）内には、位置決め部（６ｂ）によって抜け防止爪（６ｃ）が配置される位置に対応する箇所にのみ爪受け部（３ｃ）を設け、それ以外の箇所に通水用の通路（１２）を設けたことを特徴とする前記段落００１１又は段落００１２に記載の遠隔操作式排水栓装置である。
【００１４】
請求項４に記載の遠隔操作式排水栓装置は、前記引き上げナット（４）と保持機構部（６）のねじ部のねじ山を、それぞれの部材に複数設けたことを特徴とする前記段落００１１乃至段落００１３に記載の遠隔操作式排水栓装置である。
【００１５】
請求項５に記載の遠隔操作式排水栓装置は、前記保持機構部（６）の上方に、係合部（６ｄ）を備えるとともに、前記引き上げナット（４）には螺合が完了に至った時点で前記係合部（６ｄ）と係合する被係合部（４ｂ）を備えたことを特徴とする前記段落００１１乃至段落００１４いずれか一つに記載の遠隔操作式排水栓装置である。
【００１６】
請求項６に記載の遠隔操作式排水栓装置の引き上げ用治具（Ｚ）は、前記スイッチケーシング（３）の上端開口の円筒内周よりも小径な外周面を有する筒状体（１３）、該筒状体（１３）の一方の開口に設けた、前記引き上げナット（４）と嵌合する嵌合部（１３ａ）、から成る、スイッチケーシング（３）の内部で引き上げナット（４）を回動させることで引き上げナット（４）を引き上げる引き上げ用治具（Ｚ）において、引き上げ用治具（Ｚ）の他方の端部の外周面を、遠隔操作式排水栓装置の排水口（１）の内周面よりも小径とすると共に、該他方の端部に、概略中空の球体を四半分とした形状であって、筒状体の軸方向と、該軸方向の垂直となる方向とを内面において滑らかに連通する、レリースワイヤ（５）のガイド部（１３ｂ）を設けたことを特徴とする前記段落００１１乃至前記段落００１５のいずれか１つに記載の遠隔操作式排水栓装置の引き上げ用治具である。
【００１７】
【実施例】
以下に本発明の第１実施例を、図面を参照しつつ説明する。
図２乃至図５に図示した、本発明の操作部を採用した遠隔操作式排水栓装置は、以下に記載した排水栓（９）、弁体（２）、レリースワイヤ（５）、操作部（Ｓ）、排水栓受け部材としてのエルボ部材（７）、チューブ管（８）、図６及び図７に図示した引き上げ用治具（Ｚ）より構成されてなり、図１に図示した浴槽（Ｂ）に採用されてなる。
排水栓（９）は、内部に排水口（１）を形成する略円筒形状であって、その外側面にねじを備えて成る。
弁体（２）は、上記排水口（１）を閉口する部材である。
レリースワイヤ（５）は、可撓性を備えた中空のアウターチューブ（５ｂ）と、該アウターチューブ（５ｂ）の内面を軸方向に滑動するインナーワイヤ（５ａ）と、から成るとともに、インナーワイヤ（５ａ）の操作部側端部は後記するスラストロック機構の動作軸と一体的に構成されてなる。
操作部（Ｓ）は、以下に記載するスイッチケーシング（３）と、操作ボタン（１０）と、引き上げナット（４）と、保持機構部（６）と、から成る。
スイッチケーシング（３）は、円筒形状にして内面に円周に沿って凸設された段形状の載置部（３ａ）と、内周面の軸方向溝状に刻設された位置決め受け部（３ｂ）と、上面視位置決め部（６ｂ）と交互となるように、位置決め受け部（３ｂ）の下方に軸方向溝状に刻設してなる爪受け部（３ｃ）と、から構成され、その内部に、上方から順に後記する操作ボタン（１０）、保持機構部（６）、引き上げナット（４）を収納してなる。
操作ボタン（１０）は、使用者がこれを手で押しこむことによって、その駆動をレリースワイヤ（５）のインナーワイヤ（５ａ）へ伝達するための部品であり、下部は後記するスラストロック機構の動作軸に取付固定されてなる。
保持機構部（６）は内部にスラストロック機構を内蔵する部材であって、上端部に傘状の突起からなる係合部（６ｄ）を設け、また外周面には雄ねじ（６ａ）を設けると共に、雄ねじ（６ａ）の更に下方の外周面に、前記スイッチケーシング（３）の位置決め受け部（３ｂ）の溝に嵌ることでスイッチケーシング（３）に位置決めされる位置決め部（６ｂ）と、位置決め部（６ｂ）の更に下方に、上面視位置決め部（６ｂ）と重ならないように脚状に設けられ、前記スイッチケーシング（３）の爪受け部（３ｃ）に当接する抜け防止爪（６ｃ）と、から構成される。
保持機構部（６）に内蔵されているスラストロック機構は、図示しないがノック式ボールペンや従来の遠隔操作式排水栓装置などのロック機構等に用いられている公知の機構であって、その中心に、前記操作ボタン（１０）の押しこみ操作毎に前進（降下）して固定／固定を解除しレリースワイヤ（５）のインナーワイヤ（５ａ）に付勢されて後退（上昇）、を繰り返す動作軸を備えてなる。更に、図示しないが後記するレリースワイヤ（５）のインナーワイヤ（５ａ）端部は該動作軸と一体的に構成されてなる。
引き上げナット（４）は、円筒形状であって、外側面にスイッチケーシング（３）の載置部（３ａ）に載置される鍔部（４ｃ）を有し、かつ内周面には前記した保持機構部（６）の雄ねじ（６ａ）と螺合する、雌ねじ（４ａ）を二重螺旋状に設けている。また、引き上げナット（４）上端には、上面視外周方向から中心部に向かって延びたアームを適宜設けて、前記保持機構部（６）の係合部（６ｄ）と係合する被係合部（４ｂ）を設けて成る。
上記の引き上げナット（４）と保持機構部（６）とは、それぞれのねじ部（雄ねじ（６ａ）及び雌ねじ（４ａ））の形状を、ねじ山同士の間隔をねじ山の幅以上の幅とするとともに、ねじ山を２重螺旋状に設け、また引き上げナット（４）及び保持機構部（６）のねじ部の上下をそれぞれ通水可能に隙間（１１）を設けて解放してなる。具体的にこの実施例では、螺合時にねじ山一つ分の隙間が生じるように形成されて成り、この隙間を、スイッチケーシング（３）内に進入した排水を排出するための通水隙間（１１）として利用してなる。
エルボ部材（７）は、排水栓（９）のねじと螺合するねじを設け、排水栓（９）の排水口（１）と連通する開口を備えて成る。また、排水口（１）から流れ込む排水を下水側に排出するための排水用の開口、及びレリースワイヤ（５）を挿通する接続口（７ａ）を備えて成る。
チューブ管（８）は、筒状にして軸方向には剛性を、また側面方向には可撓性を備えた中空の部材であって、一方の端部は前記操作部（Ｓ）のスイッチケーシング（３）下端外周面に、他端はエルボ部材（７）の接続口（７ａ）にそれぞれ水密的に接続され、内部にはレリースワイヤ（５）が挿通されてなる。
引き上げ用治具（Ｚ）は、図６及び図７に示したように、スイッチケーシング（３）の内部で引き上げナット（４）を回動させることで引き上げナット（４）を引き上げるもので、前記スイッチケーシング（３）の上端開口の円筒内周よりも小径な外周面を有する筒状体（１３）から成り、該筒状体（１３）には、一方の開口に設けた前記引き上げナット（４）の鍔部（４ｃ）と嵌合する切欠形状に設けられた嵌合部（１３ａ）と、筒状体（１３）の他方の端部の外周面を、遠隔操作式排水栓装置の排水口（１）の内周面よりも小径とすると共に、該他方の端部に、概略中空の球体を四半分とした形状であって、筒状体の軸方向と、該軸方向の垂直となる方向とを内面において滑らかに連通する、レリースワイヤ（５）のガイド部（１３ｂ）を設けて成る。
また、この引き上げ用治具（Ｚ）には、その側面にスイッチケーシング（３）や排水口（１）の開口よりも大径な落下防止リブ（１３ｃ）を設けて成り、引き上げ用治具（Ｚ）がスイッチケーシング（３）や排水口（１）から下方に落下することを防止している。
尚、当然のことながら、該落下防止リブ（１３ｃ）から嵌合部（１３ａ）までの長さはスイッチケーシング（３）の開口から引き上げナット（４）が配置される載置部（３ａ）までの距離よりも長く形成されている。
また、落下防止リブ（１３ｃ）からガイド部（１３ｂ）までの長さは排水栓（９）の開口から下端までの長さよりも長く形成されている。即ち、図７に示したように落下防止リブ（１３ｃ）を排水口（１）に当接させた時にはガイド部（１３ｂ）は排水栓（９）の開口を貫通し、排水栓（９）の下端から突出する構造となる。
尚、本発明においては、施工時に、前述した引き上げナット（４）の雌ねじ（４ａ）と、保持機構部（６）の雄ねじ（６ａ）とが螺合することによって、レリースワイヤ（５）の先端から、引き上げナット（４）までの長さが短く収縮するように構成されて成る。引き上げナット（４）は、鍔部（４ｃ）がスイッチケーシング（３）の載置部（３ａ）上に当接して、スイッチケーシング（３）の軸方向に対して位置決めされるため、結局は螺合によってレリースワイヤ（５）が操作部（Ｓ）側に後退する。本実施例では、この螺合を完了した状態において、レリースワイヤ（５）の、排水口（１）からのレリースワイヤ（５）の飛び出し長さが、遠隔操作式排水栓装置の作動に適切となる長さになるよう、レリースワイヤ（５）の全長が調整されてなる。
【００１８】
上記のように構成した遠隔操作式排水栓装置を、図１に図示した浴槽（Ｂ）に取り付ける場合、まず、浴槽（Ｂ）等に設けた排水栓取付用の開口の周縁を介して排水栓とエルボ部材（７）を螺合させ、浴槽の開口に排水栓（９）を取り付ける。
次に、浴槽（Ｂ）上縁部に設けられた取付孔に、操作部（Ｓ）のスイッチケーシング（３）を取り付け固定し、更にスイッチケーシング（３）の下端と前記エルボ部材（７）の接続口（７ａ）とを、前記チューブ管（８）を介して水密的に接続する。
更に図３に示したようにレリースワイヤ（５）を、保持機構部（６）に接続した上で、保持機構部（６）の位置決め部（６ｂ）がスイッチケーシング（３）の位置決め受け部（３ｂ）に嵌ってスイッチケーシング（３）に係止するまで挿入すると、レリースワイヤ（５）はチューブ管（８）、接続口（７ａ）を介し、エルボ部材（７）内に挿通される。更に浴槽（Ｂ）の上方側から、エルボ部材（７）内に配置しているレリースワイヤ（５）の先端を、排水口（１）を通して浴槽（Ｂ）側へ引き上げる。
このレリースワイヤ（５）を排水口（１）から引き上げる際には、前記した引き上げ用治具（Ｚ）のガイド部を、図７に示したように排水口（１）内に挿入する。このようにすることで、レリースワイヤ（５）の先端が引き上げ用治具（Ｚ）のガイド部（１３ｂ）に当接し、上方に突出するため、わざわざ狭い排水口（１）内に指やペンチを使用せずにレリースワイヤ（５）を浴槽（Ｂ）空間内まで簡単に引き出すことが可能である。
このとき、レリースワイヤ（５）の浴槽（Ｂ）内への飛び出し長さは、雌ねじ（４ａ）と雄ねじ（６ａ）とが螺合を完了した状態において、排水口（１）からのレリースワイヤ（５）の飛び出し長さが遠隔操作式排水栓装置の作動に適切となる長さになるようにレリースワイヤ（５）の全長が調整されてなるため、雌ねじ（４ａ）と雄ねじ（６ａ）との螺合がほとんど行われていないこの状態においては、従来の遠隔操作式排水栓装置と比べて、螺合の長さ分だけ余分に浴槽（Ｂ）内に突出してなる。
この状態において、レリースワイヤ（５）の排水口（１）側の端部を弁体（２）に接続させる。
その後、スイッチケーシング（３）内に前記した引き上げ用治具（Ｚ）の嵌合部（１３ａ）と引き上げナット（４）の鍔部（４ｃ）を嵌合させて引き上げ用治具（Ｚ）を回転させると、引き上げナット（４）が引き上げ用治具（Ｚ）の回転に併せて回転し、引き上げナット（４）の雌ねじ（４ａ）と保持機構部（６）の雄ねじ（６ａ）の螺合が進んで、保持機構部（６）が上昇して引き上げナット（４）に巻き上げられる形となる。この際には、位置決め部（６ｂ）が、スイッチケーシング（３）の位置決め受け部（３ｂ）の溝に収納された状態のため、雌ねじ（４ａ）と雄ねじ（６ａ）との間には、一方の回転の際による摩擦によって、他方のねじも回転し、螺合がそれ以上進行しなくなる共回り現象が生じることなく、図２のように両者の螺合を完成させることができる。
また、引き上げナット（４）と保持機構部（６）の各ねじ部のねじ山はそれぞれに２山設けられている。このため、螺合が容易に進行するようにねじのピッチを荒くし、例えば１回転で螺合が完了するように構成したり、通水隙間（１１）形成のため、ねじ山同士の間隔をねじ山の幅以上の幅としても、両者の回転軸がずれることがないので、螺合不良を防止することができる。
また、螺合が完成すると同時に、引き上げナット（４）の被係合部（４ｂ）に保持機構部（６）の係合部（６ｄ）が係合するように構成されてなる。この係合は、係合部（６）の傘状の突起の下方に、被係合部（４ｂ）のアームの先端が嵌り込むことで達成されるが、この係合時の衝撃もしくは衝撃音で施工している作業者は引き上げナット（４）の巻き上げの終了を知ることができる。また、上記雄ねじ（６ａ）と雌ねじ（４ａ）の螺合は、通水隙間（１１）を形成し、両者の間にほとんど摩擦が生じないように構成されているため、通常のねじによる螺合とことなり、部材同士をつなぎ止めておくことはほとんど不可能であるが、この係合によって、引き上げナット（４）に保持機構部（６）を固定し、保持機構部（６）が引き上げナット（４）から脱落することを防止することができる。
また、この螺合が完成すると同時に、保持機構部（６）の抜け防止爪（６ｃ）がスイッチケーシング（３）の爪受け部（３ｃ）に係止される。これにより、例えば弁体（２）が開口時に強い衝撃が加わって、その衝撃がレリースワイヤ（５）を介して保持機構部（６）に伝達したとしても、保持機構部（６）が適正位置より飛び出すことがなくなる。
またこのとき、操作部（Ｓ）は、図５に図示したように、スイッチケーシング（３）内周面と、引き上げナット（４）の外周面に通水用の通路（１２）を設けて配置し、更に、上面視位置決め受け部（３ｂ）と重複しないように設けられた、抜け防止爪（６ｃ）が嵌っていない爪受け部（３ｃ）の隙間を通水用の通路（１２）として解放したので、操作部（Ｓ）に侵入した排水は該通水用の通路（１２）内を通過してエルボ部材（７）側へ円滑に排水することが出来、保持機構部（６）の故障や誤作動を防止することができる。
また、保持機構部（６）の雄ねじ（６ａ）と引き上げナット（４）の雌ねじ（４ａ）は、それぞれのねじ山とねじ山の間に沿って設けられた通水用の隙間（１１）を設けているので、スイッチケーシング（３）内に排水が流入しても、排水は互いのねじ山に沿って排水用の隙間（１１）を通過するので円滑にチューブ管（８）側へと排水を行うことができる。
この螺合が完了した状態において、レリースワイヤ（５）の、排水口（１）からのレリースワイヤ（５）の飛び出し長さが、遠隔操作式排水栓装置の作動に適切な長さになる。
その後、排水口（１）より引き上げたレリースワイヤ（５）の端部を弁体（２）に連結させて、排水口（１）側のレリースワイヤ（５）端部が弁体（２）の直下となるように配置することで遠隔操作式排水栓装置の取り付けが完了する。
【００１９】
また、本実施例の遠隔操作式排水栓装置は、前記段落０００４に記載した従来例と同様の方法によって使用することができる。
【００２０】
本発明の遠隔操作式排水栓装置は以上のようであるが、本発明は前記した実施例に限定されるものではなく、請求項に記載した範囲内において適宜変更可能である。
【００２１】
【効果】
本発明の遠隔操作式排水栓装置は、以下の効果を奏する。
請求項１又は請求項２に記載の遠隔操作式排水栓装置は、引き上げナット及び保持機構部のねじ部の上下をそれぞれ通水可能に解放し、且つ引き上げナット及び保持機構部のねじ部の形状を、ねじ山同士の間隔としてねじ山の幅以上の幅、又は２倍以上の幅とし、ねじ山とねじ山の間に適宜隙間を設けるとともに、その隙間を通水用の通路としたことで、スイッチケーシング内に排水が流入しても、排水は互いのねじの間に形成される通水隙間に沿って排水用の通路を通過するので円滑にチューブ管側へと排水を行うことができ、スラストロック機構の故障や誤作動を防止することができる。
請求項３に記載の遠隔操作式排水栓装置は、保持機構部に、螺合の際に引き上げナットとの供回りを防ぐ、位置決め部を設けるとともに、保持機構部に、複数の抜け防止爪を設け、スイッチケーシング内には、位置決め部によって抜け防止爪が配置される位置に対応する箇所にのみ爪受け部を設け、それ以外の箇所に通水用の通路を設けたことで、操作部に侵入した排水は該通水用の通路内を通過してエルボ部材側へ円滑に排水することが出来、保持機構部に内蔵されているラストロック機構の故障や誤作動を防止することができる。
請求項４に記載の遠隔操作式排水栓装置は、引き上げナット及び保持機構部のねじ部のねじ山を、それぞれの部材に複数設けたことで、通水隙間を形成するためねじ山同士の間隔が広く成りすぎることで発生する螺合不良（例えば螺合の軸のぐらつきなど）を円滑に防止することができる。
請求項５に記載の遠隔操作式排水栓装置は、前記引き上げナットに螺合が完了に至った時点で前記係合部と係合する被係合部を備えたことで、レリースワイヤからの強い衝撃が加わって、スラストロック機構に伝達したとしても、スラストロック機構が適正位置より飛び出すことがなくなる。
請求項６に記載した遠隔操作式排水栓装置の引き上げ用治具は、排水口内にガイド部を差し込むだけで、レリースワイヤを上方までガイドすることができ、狭い排水口内に指やペンチを差し込んで取り出さずに浴槽側まで引き出すことができ、施工性が向上する。
【符号の説明】
１　　　排水口
２　　　弁体
３　　　スイッチケーシング
３ａ　　載置部
３ｂ　　位置決め受け部
３ｃ　　爪受け部
４　　　引き上げナット
４ａ　　雌ねじ
４ｂ　　被係合部
４ｃ　　鍔部
５　　　レリースワイヤ
５ａ　　インナーワイヤ
５ｂ　　アウターチューブ
６　　　保持機構部
６ａ　　雄ねじ
６ｂ　　位置決め部
６ｃ　　抜け防止爪
６ｄ　　係合部
７　　　エルボ部材
７ａ　　接続口
８　　　チューブ管
９　　　排水栓
１０　　操作ボタン
１１　　通水隙間
１２　　通水通路
１３　　筒状体
１３ａ　嵌合部
１３ｂ　ガイド部
１３ｃ　落下防止リブ
Ｓ　　　操作部
Ｂ　　　浴槽
Ｚ　　　引き上げ用治具
【図面の簡単な説明】
【図１】本発明の遠隔操作式排水栓装置及び従来例の遠隔操作式排水栓装置が施工される浴槽の一部断面図である。
【図２】本発明の遠隔操作式排水栓装置の操作部が施工された後の一部分断面図である。
【図３】本発明の遠隔操作式排水栓装置の、操作部が施工される前の一部分断面図である。
【図４】本発明の遠隔操作式排水栓装置の、部品構成断面図である。
【図５】（ａ）本発明の遠隔操作式排水栓装置の、スイッチケーシングの上面図である。
（ｂ）　本発明の遠隔操作式排水栓装置の、保持機構部をスイッチケーシングにセットした際の操作部上面図である。
（ｃ）　本発明の遠隔操作式排水栓装置の、保持機構、引き上げナットをスイッチケーシングにセットした際の、操作部上面図である。
【図６】本発明の遠隔操作式排水栓装置の引き上げ用治具の、斜視図である。
【図７】本発明の遠隔操作式排水栓装置の引き上げ治具の、使用状態を示す断面図である。
【図８】従来例の遠隔操作式排水栓装置の操作部を表す断面図である。
【図１】
2004124578.tif 000003
【図２】
2004124578.tif 000004
【図３】
2004124578.tif 000005
【図４】
2004124578.tif 000006
【図５】
2004124578.tif 000007
【図６】
2004124578.tif 000008
【図７】
2004124578.tif 000009
【図８】
2004124578.tif 000010